(57)【要約】【課題】果物類を輸送する際に、上下に重ねて段積みしたときの強度不足を解消することができる段ボール箱を提供する【解決手段】バナナの輸送用に使用される複数の段ボール箱１は、下段の段ボール箱１の左壁部３の上縁に形成された積重ね用突片３Ｂ，３Ｂおよび右壁部４の上縁に形成された積重ね用突片４Ｂ，４Ｂに対し、上段の段ボール箱１の左壁部３の下部に形成された積重ね用切欠および右壁部４の下部に形成された積重ね用切欠４Ｃ，４Ｃをそれぞれ嵌合させることで、上下に重ねて一体的に段積みされる。各段ボール箱１の内部に収容されたバナナは、左壁部３の上縁に形成された切欠窓３Ａおよび右壁部４の上縁に形成された切欠窓４Ａから点検可能となる。ここで、各段ボール箱１は、左壁部３と前壁部５と右壁部４と後壁部６との間の４つのコーナ部に、それぞれ四角形の閉断面を形成する支柱部７，７，７，７が折り曲げ形成されているため、バナナを収容して上下に段積みした際の強度不足が解消される。【選択図】図３
2015024834.tif 000002
【特許請求の範囲】
【請求項１】
底板部に連続する左右の壁部および前後の壁部を有する果物輸送用の段ボール箱であって、
前記左右の壁部の上縁における長手方向中央部には、それぞれ切欠窓が形成され、
前記左右の壁部の上縁における前記切欠き窓の両側には、それぞれ積重ね用突片が切起し形成され、
前記左右の壁部の下部と前記底板部との角部には、前記各積重ね用突片が嵌合可能な積重ね用切欠が形成されており、
前記左右の壁部と前後の壁部との間の各コーナ部には、それぞれ閉断面を形成する支柱部が折り曲げ形成されていることを特徴とする段ボール箱。
【請求項２】
前記底板部、左右の壁部および前後の壁部にはそれぞれ通気孔が形成されていることを特徴とするバナナ輸送用の請求項１に記載の段ボール箱。
【発明の詳細な説明】
【技術分野】
【０００１】
本発明は、バナナなどの果物類を輸送するのに好適な段ボール箱に関するものである。
【背景技術】
【０００２】
果物類を輸送可能な段ボール箱として、例えば特許文献１、２に記載の段ボール箱が従来一般に知られている。ここで、特許文献１に記載の段ボール箱は、結露水が底面に流れるのを防止するための結露水溜りを側壁内面に設けたことを特徴としている。
【０００３】
一方、特許文献２に記載の段ボール箱は、上下に重ねて段積みしたときに相互に係合する突片と切欠とを前後の側壁の上縁および下縁に複数個設けると共に、各突片と切欠との間に通風可能な隙間を確保したことを特徴としている。
【先行技術文献】
【特許文献】
【０００４】
【特許文献１】実開平４−１１５１２０号公報
【特許文献２】特開２００９−２８０２６６号公報
【発明の概要】
【発明が解決しようとする課題】
【０００５】
ところで、特許文献１または２に記載された段ボール箱は、何れも上下方向の補強構造を備えていないため、果物類を収容して輸送する際に、上下に重ねて段積みしたときの強度不足が懸念される。
【０００６】
そこで、本発明は、果物類を輸送する際に、上下に重ねて段積みしたときの強度不足を解消することができると共に、開蓋せずに内部が見えかつ検査の際の内容物の取り出しが可能な、高品質の段ボール箱を提供することを課題とする。
【課題を解決するための手段】
【０００７】
このような課題を解決するため、本発明に係る段ボール箱は、底板部に連続する左右の壁部および前後の壁部を有する果物輸送用の段ボール箱であって、左右の壁部の上縁における長手方向中央部には、それぞれ切欠窓が形成され、左右の壁部の上縁における切欠窓の両側には、それぞれ積重ね用突片が切起し形成され、左右の壁部の下部と底板部との角部には、各積重ね用突片が嵌合可能な積重ね用切欠が形成されており、左右の壁部と前後の壁部との間の各コーナ部には、それぞれ閉断面を形成する支柱部が折り曲げ形成されていることを特徴とする。
【０００８】
本発明に係る段ボール箱は、果物類の輸送用に使用される。その際、複数の段ボール箱は、左右の壁部の上縁における切欠窓の両側に切起し形成された各積重ね用突片に対し、左右の壁部の下部と底板部との角部に形成された積重ね用切欠をそれぞれ嵌合させることで、上下に重ねて一体的に段積みされる。
【０００９】
このような段積み状態において、各段ボール箱の内部に収容された果物類は、左右の壁部の上縁における長手方向中央部に形成された切欠窓から点検可能となる。
【００１０】
ここで、本発明の段ボール箱は、左右の壁部と前後の壁部との間の各コーナ部に、それぞれ閉断面を形成する支柱部が折り曲げ形成されているため、果物類を収容して上下に段積みした際の強度不足が解消される。
【００１１】
本発明の段ボール箱において、底板部、左右の壁部および前後の壁部にそれぞれ通気孔が形成されていると、各通気孔を通した換気により、内部に収容された果物類の鮮度を保持することが可能となるので好ましい。
【発明の効果】
【００１２】
本発明に係る段ボール箱は、果物類を収容して輸送する際、左右の壁部の上縁における切欠き窓の両側に切起し形成された各積重ね用突片に対し、左右の壁部の下部と底板部との角部に形成された積重ね用切欠をそれぞれ嵌合させることで、複数の段ボール箱を上下に重ねて一体的に段積みすることができる。
【００１３】
このような段積み状態において、各段ボール箱の内部に収容された果物類は、左右の壁部の上縁における長手方向中央部に形成された切欠窓から点検することができるため、点検の際の開蓋は不要となる。結果、点検後の移送が速やかに行える。
【００１４】
ここで、本発明の段ボール箱は、左右の壁部と前後の壁部との間の各コーナ部に、それぞれ閉断面を形成する支柱部が折り曲げ形成されているため、果物類を収容した複数の段ボール箱を上下に段積みした際の各段ボール箱の強度不足を解消することができる。
【００１５】
特に、バナナを長距離輸送する際には、バナナの成長をストップさせるために空気を抜いた袋に入れ、それを段ボールに収容し段積みする。そして、輸送後バナナを再び成長させるために、袋を切る必要があるが、そのためには、段積みしてある段ボールを１つ１つ取り出して、段ボール上部から袋を引っ張った状態でカッターなどによって切る必要があった。しかし、空気を抜いた状態の袋を切るためには、強く袋を上方に引っ張る必要があるため、バナナの位置が上方にずれたり、出っ張ったりする。そのため、再度輸送のため段積みをすると上段の段ボールによる摩擦や荷重を受けることによりバナナが損傷を受ける。
【００１６】
本発明の段ボール箱は、段ボール箱側面にある切欠窓よりバナナの袋を切ることができるため、バナナの損傷による損失を軽減出来ると共に、積替え作業を無くし作業の効率化を図ることができる。
【００１７】
本発明の段ボール箱において、底板部、左右の壁部および前後の壁部にそれぞれ通気孔が形成されている場合には、各通気孔を通した換気により、内部に収容された果物類の鮮度を保持することが可能となる。
【図面の簡単な説明】
【００１８】
【図１】本発明の一実施形態に係る段ボール箱の斜視図である。
【図２】図１に示した段ボール箱の展開図である。
【図３】図１に示した段ボール箱を複数個、上下に段積みする作業を説明するための斜視図である。
【図４】図３に示した複数個の段ボール箱が一体的に段積みされた状態を示す斜視図である。
【発明を実施するための形態】
【００１９】
以下、添付の図面を参照して本発明に係る段ボール箱の実施の形態を説明する。一実施形態の段ボール箱は、果物類のうち、例えばバナナの輸送用に使用される段ボール箱であって、図１に示す段ボール箱１として組み立てられる。
【００２０】
この段ボール箱１は、図２の展開図に示す底板部２と、底板部２の長辺に連続する左壁部３および右壁部４と、底板部２の短辺に連続する前壁部５および後壁部６とを有する。
【００２１】
左壁部３は、底板部２から上方に折り曲げられた部分と、その上縁部から内側に折り返された部分とを有する折り重ね構造とされている。同様に、右壁部４は、底板部２から上方に折り曲げられた部分と、その上縁部から内側に折り返された部分とを有する折り重ね構造とされている。
【００２２】
一方、前壁部５は、底板部２から上方に折り曲げられた部分と、左壁部３から右壁部４に向かって折り曲げられた部分と、右壁部４から左壁部３に向かって折り曲げられた部分とを有し、底板部２から上方に折り曲げられた部分の内側に、左壁部３から右壁部４に向かって折り曲げられた部分および右壁部４から左壁部３に向かって折り曲げられた部分がそれぞれ接合された接合構造とされている。
【００２３】
同様に、後壁部６は、底板部２から上方に折り曲げられた部分と、左壁部３から右壁部４に向かって折り曲げられた部分と、右壁部４から左壁部３に向かって折り曲げられた部分とを有し、底板部２から上方に折り曲げられた部分の内側に、左壁部３から右壁部４に向かって折り曲げられた部分および右壁部４から左壁部３に向かって折り曲げられた部分がそれぞれ接合された接合構造とされている。
【００２４】
ここで、左壁部３の上縁の長手方向中央部には切欠窓３Ａが形成されている。同様に、右壁部４の上縁の長手方向中央部には切欠窓４Ａが形成されている。これらの切欠窓３Ａ，４Ａは、段ボール箱１の内部に収容されるバナナ（図示省略）を点検するための窓であり、人の手が入る程度の大きさに切り欠かれている。この切欠窓３Ａ，４Ａは、例えば逆台形に形成されている。
【００２５】
段ボール箱１の左壁部３の上縁における切欠窓３Ａの両側には、積重ね用突片３Ｂ，３Ｂが均等に配置されて切起し形成されている。同様に、右壁部４の上縁における切欠窓４Ａの両側には、積重ね用突片４Ｂ，４Ｂが均等に配置されて切起し形成されている。これらの積重ね用突片３Ｂ，３Ｂおよび積重ね用突片４Ｂ，４Ｂは、例えば台形に形成されている。
【００２６】
一方、右壁部４の下部と底板部２（図２参照）との角部には、複数の段ボール箱１を上下に段積みする際に、下段の段ボール箱１の各積重ね用突片４Ｂ，４Ｂが嵌合可能な積重ね用切欠４Ｃ，４Ｃが形成されている。同様に、左壁部３の下部と底板部２（図２参照）との角部には、複数の段ボール箱１を上下に段積みする際に、下段の段ボール箱１の各積重ね用突片３Ｂ，３Ｂが嵌合可能な積重ね用切欠３Ｃ，３Ｃ（図２参照）が形成されている。
【００２７】
また、前壁部５および後壁部６には、前後一対の手掛穴が形成されている。すなわち、前壁部５の中央上部には、例えば横長の手掛穴５Ａが形成され、後壁部６の中央上部には、例えば横長の手掛穴６Ａが形成されている。
【００２８】
ここで、左壁部３と前壁部５と右壁部４と後壁部６との間の４つのコーナ部には、それぞれ閉断面を形成する支柱部７，７，７，７が折り曲げ形成されている。これらの支柱部７，７，７，７は、例えば四角形の閉断面を形成している。
【００２９】
また、段ボール箱１の左壁部３、右壁部４、前壁部５、後壁部６には、それぞれ左右一対の通気孔８，８が形成されている。さらに、段ボール箱１の底板部２（図２参照）には、通気孔９が形成されている。通気孔８，８は、例えば円形に形成され、通気孔９は、略長方形に形成されている。
【００３０】
以上のように構成されたバナナ輸送用の段ボール箱１は、バナナを収容して輸送する際、複数の段ボール箱１，１，１が上下に重ねて一体的に段積みされる。その際、複数の段ボール箱１，１，１は、図３に示すように、下段に配置された段ボール箱１の左壁部３の上縁に切起し形成された積重ね用突片３Ｂ，３Ｂおよび右壁部４の上縁に切起し形成された積重ね用突片４Ｂ，４Ｂに対し、上段に配置された段ボール箱１の左壁部３の下部と底板部との角部に形成された積重ね用切欠３Ｃ，３Ｃ（図２参照）および右壁部４の下部と底板部との角部に形成された積重ね用切欠４Ｃ，４Ｃがそれぞれ嵌合される。
【００３１】
これにより、複数の段ボール箱１，１，１は、図４に示すように、上下に重ねて一体的に段積みされる。このような段積み状態において、複数の段ボール箱１，１，１の内部に収容されたバナナは、左壁部３の上縁における長手方向中央部に形成された切欠窓３Ａおよび右壁部４の上縁における長手方向中央部に形成された切欠窓４Ａから点検可能となる。
【００３２】
ここで、特に、バナナを収容して上下に一体に段積みされた複数の段ボール箱１，１，１は、左壁部３と前壁部５と右壁部４と後壁部６との間の４つのコーナ部に、それぞれ四角形の閉断面を形成する支柱部７，７，７，７が折り曲げ形成されているため、バナナを収容して上下に段積みした際の強度不足が解消される。
【００３３】
加えて、複数の段ボール箱１，１，１に収容されたバナナは、左壁部３、右壁部４、前壁部５、後壁部６にそれぞれ形成された通気孔８，８および底板部２（図２参照）に形成された通気孔９を通した換気により、鮮度を保持することが可能となる。更に、通気孔９にバナナの付け根を配置することにより、底板部２との摩擦によるバナナの付け根の損傷を防ぐことができる。
【００３４】
従って、一実施形態の段ボール箱１によれば、例えばバナナを収容して輸送する際、複数の段ボール箱１，１，１を上下に重ねて一体的に段積みすることができる。そして、左壁部３の上縁に形成された切欠窓３Ａおよび右壁部４の上縁に形成された切欠窓４Ａから、複数の段ボール箱１，１，１の内部に収容されたバナナを容易に点検することができる。
【００３５】
特に、バナナを収容した複数の段ボール箱１，１，１を上下に段積みした際の各段ボール箱１の強度不足を解消することができる。
【００３６】
更に、バナナを長距離輸送する際には、バナナの成長をストップさせるために空気を抜いた袋に入れ、それを段ボールに収容し段積みする。そして、輸送後バナナを再び成長させるために、袋を切る必要があるが、そのためには、段積みしてある段ボールを１つ１つ取り出して、段ボール上部から袋を引っ張った状態でカッターなどによって切る必要があった。しかし、空気を抜いた状態の袋を切るためには、強く袋を上方に引っ張る必要があるため、バナナの位置が上方にずれたり、出っ張ったりする。そのため、再度輸送のため段積みをすると上段の段ボールによる摩擦や荷重を受けることによりバナナが損傷を受ける。
【００３７】
本発明の段ボール箱は、段ボール箱側面にある切欠窓よりバナナの袋を切ることができるため、バナナの損傷による損失を軽減出来ると共に、積替え作業を無くし作業の効率化を図ることができる。
【００３８】
本発明に係る段ボール箱は、紙材料を使用した紙製段ボール箱としてもよいし、プラスチック材料を使用したプラスチック製段ボール箱としてもよい。
【００３９】
ここで、一実施形態の段ボール箱１における切欠窓３Ａ，４Ａの形状は、逆台形に限らず、長方形や半長円形、半楕円形など任意の形状とすることができる。
【００４０】
また、積重ね用突片３Ｂ，３Ｂおよび積重ね用突片４Ｂ，４Ｂの形状は、台形に限らず、長方形や半円形など任意の形状とすることができる。
【００４１】
さらに、支柱部７，７，７，７の閉断面形状は、四角形に限らず、三角形としてもよい。
【００４２】
ここで、本発明の段ボール箱は、バナナなどの果物類の輸送用に限らず、レタスなどの野菜類の輸送用に使用することができる。
【符号の説明】
【００４３】
１  ：段ボール箱
２  ：底板部
３  ：左壁部
３Ａ：切欠窓
３Ｂ：積重ね用突片
３Ｃ：積重ね用切欠
４  ：右壁部
４Ａ：切欠窓
４Ｂ：積重ね用突片
４Ｃ：積重ね用切欠
５  ：前壁部
５Ａ：手掛穴
６  ：後壁部
６Ａ：手掛穴
７  ：支柱部
８  ：通気孔
９  ：通気孔
【図１】
2015024834.tif 000003
【図２】
2015024834.tif 000004
【図３】
2015024834.tif 000005
【図４】
2015024834.tif 000006